(57)【要約】【課題】車載用スピーカ等のように、車のドアの下方に取付けられてリスナーに対する音放射中心方向から偏る角度が大きくなる場合に、リスナーに向けて高域周波数成分の高音質の音を十分に放射できるスピーカを提供する。【解決手段】稜線を有さず表面が曲面で形成されたボール形状のディフューザ１１を振動板５、６と近接する位置に振動板の中心軸から偏倚させて配置した。【選択図】図１
2011010056.tif 000002
【特許請求の範囲】
【請求項１】
稜線を有さず表面が曲面で形成されたボール形状のディフューザを振動板と近接する位置に振動板の中心軸から偏倚させて配置したことを特徴するスピーカ。    
【請求項２】
スピーカフレームの前面に摺動自在に嵌合させたリング形状部材にアームを設け、前記アームにより前記ディフューザを支持し、前記リング形状部材をスピーカフレームに対して摺動させることにより前記ディフューザ位置を可変とした請求項１のスピーカ。
【発明の詳細な説明】
【技術分野】
【０００１】
この発明はスピーカに係わり、特に、そのディフユーザに関する。
【背景技術】
【０００２】
従来のディフユーザ付きスピーカの例を図３および図４により説明する。図３は従来のスピーカの例を示す斜視図、図４は同スピーカの半分を切り欠いて示す斜視図である。図に示すヨーク１、マグネット２およびトップフレート３は上下に重なるように固着されて磁気回路を構成している。
【０００３】
この磁気回路に樹脂製のフレーム７が固着されている。ボイスコイル４の上端にはコーン形振動板６の内周が固着され、コーン形振動板６の外周はフレーム７に固定されて、ボイスコイル４の巻線が磁気回路の磁気ギヤップに配置される。ボイスコイル４の上端にはさらにドーム形振動板５が固着されボイスコイル４の上端が塞がれている。
【０００４】
このスピーカはバランスドーム型ツイータであり、高音域の鋭い指向性を改善するためのディフューザが設けられている。
【０００５】
すなわち、偏平ドーナツ形状のディフューザ１５がドーム形振動板５の前方にドーム形振動板５と同軸に配置されている。ディフューザ１５はフレーム７に固定されたフレームカバー１３に設けられたアーム１４、１４に支持されている。フレームカバー１３にバッフル１６が固定されている。
【０００６】
上記ディフユーザ付きスピーカは指向性の狭い高音域の音を前方に指向性が緩和された状態で放射する。そして、リスナーがスピーカ前方に位置する場合は良好な音場を提供できる。
【０００７】
しかしながら、車載用スピーカ等のように、車のドアの下方に取付けられる場合は、リスナーに対する音放射中心方向から偏る角度が大きくなるため、指向性が狭い高域周波数成分の音エネルギを十分に聴取できない場合が多い。
【０００８】
この問題を解決するために、スピーカのウーハ部とツイータ部を分離して高域周波数帯域を受け持つツイータを車のフロントダッシュボードに配置してリスナーの方向に向ける手段があるが、高価な装置となるという問題があった。
【０００９】
実開平１−５７８８４号公報に開示されたスピーカは振動板の前方に円錐形状の反射体を振動板の直径方向に位置調整可能に配置している。このスピーカによると、車載用スピーカとして使用する場合に高域周波数帯域の音の指向性をリスナーの方向に向けて高くすることができる。しかしながら、反射体の円錐形状の底面の縁の角で音の波形が乱れるため、音質が劣化するという問題があった。
【特許文献１】実開平１−５７８８４号公報、３〜５頁、第１図
【発明の概要】
【発明が解決しようとする課題】
【００１０】
この発明は上記した点に鑑みてなされたものであって、その目的とするところは、車載用スピーカ等のように、車のドアの下方に取付けられてリスナーに対する音放射中心方向から偏る角度が大きくなる場合に、リスナーに向けて高域周波数成分の高音質の音を十分に放射できるスピーカを提供することにある。
【課題を解決するための手段】
【００１１】
この発明のスピーカは、稜線を有さず表面が曲面で形成されたボール形状のディフューザを振動板と近接する位置に振動板の中心軸から偏倚させて配置したものである。
【００１２】
また、前記スピーカにおいて、スピーカフレームの前面に摺動自在に嵌合させたリング形状部材にアームを設け、前記アームにより前記ディフューザを支持し、前記リング形状部材をスピーカフレームに対して摺動させることにより前記ディフューザ位置を可変としたものである。
【発明の効果】
【００１３】
この発明のスピーカによれば、車載用スピーカ等のように、車のドアの下方に取付けられてリスナーに対する音放射中心方向から偏る角度が大きくなる場合に、リスナーに向けて高域周波数成分の高音質の音を十分に放射できる。
【図面の簡単な説明】
【００１４】
【図１】この発明の実施例であるスピーカを示す斜視図である。
【図２】同スピーカを示す断面図である。
【図３】従来のスピーカの例を示す斜視図である。
【図４】同スピーカの半分を切り欠いて示す斜視図である。
【発明を実施するための形態】
【００１５】
以下この発明を実施するための形態を実施例に即して説明する。図１はこの発明の実施例であるスピーカを示す斜視図、図２は同スピーカを示す断面図である。このスピーカはツイータ等の振幅の小さい小型スピーカである。
【００１６】
図に示すヨーク１、マグネット２およびトップフレート３は上下に重なるように固着されて磁気回路を構成している。この磁気回路に樹脂製のフレーム７が固着されている。ボイスコイル４の上端にはコーン形振動板６の内周が固着され、コーン形振動板６の外周はフレーム７に固定されて、ボイスコイル４の巻線が磁気回路の磁気ギヤップに配置される。
【００１７】
ボイスコイル４の上端にはさらにドーム形振動板５が固着されボイスコイル４の上端が塞がれている。コーン形振動板６の外径は３０mm〜４０ｍｍ程度であり、振動板の振幅は略１mm以下である。
【００１８】
このスピーカはバランスドーム型ツイータであり、高音域の音を振動板中心軸から偏った方向に強く放射できるようにディフューザ１１が設けられている。
【００１９】
すなわち、球面形状のディフューザ１１がドーム形振動板５の前方にドーム形振動板５の中心軸から偏倚して配置されている。ディフューザ１１はアーム１０と一体に形成されておりアーム１０はリング形状部材９に図示していないねじで締着されている。
【００２０】
アーム１０と一体となったディフューザ１１は直径の異なるものが複数個提供されており、使用者が任意のサイズのものを選択して使用できるようにしてあるが、ディフューザ１１の直径は略10mmである。
【００２１】
リング形状部材９はフレーム７に締着されたフレームカバー８とフレーム７とで摺動自在に挾持されている。リング形状部材９を回動させることによりディフューザ１１の周方向位置を任意に設定できる。なお、ねじによりリング形状部材９が設定された位置から移動しないようにしてもよい。
【００２２】
このように、配置されたディフューザ１１により、ドーム形振動板５およびコーン形振動板６から放射された音が回折され、所定の周波数帯域の音が振動板中心からディフューザ１１に向かう矢印Ｐの方向の所定範囲に集約される。
【００２３】
ディフューザの球体の大きさにより、影響を受ける周波数が変わる。すなわち、球体が小さくなると影響を受ける周波数が高くなる。デフューザと振動板の距離は１〜２mmが好ましい。使用者はディフューザの球体の大きさや回動位置を任意に設定することにより、スピーカの位置、姿勢および聴取位置に対して最適の音響効果が得られるようにすることができる。
【００２４】
実施例は以上のように構成されているが発明はこれに限られず、例えば、アーム１０が振動板中心方向に延びるのではなく、中心から外れた方向に延びるようにしてもよい。このようにすることにより聴取位置方向の音波の乱れを少なくすることも可能である。
【産業上の利用可能性】
【００２５】
この発明のスピーカは振動板中心軸から偏った方向に高域周波数成分の高音質の音を十分に放射できるので車載用スピーカに好適に利用できる。
【符号の説明】
【００２６】
１  ヨーク
２  マグネット
３  トップフレート
４  ボイスコイル
５  ドーム形振動板
６  コーン形振動板
７  フレーム
８  フレームカバー
９  リング形状部材
１０  アーム
１１  ディフューザ
１３  フレームカバー
１４  アーム
１５  ディフューザ
１６  バッフル
【図１】
2011010056.tif 000003
【図２】
2011010056.tif 000004
【図３】
2011010056.tif 000005
【図４】
2011010056.tif 000006